(57)【要約】【課題】  光導波路内において効率良く光を伝搬させながら光検出を行うことができ、作製が容易な光導波装置を提供すること。【解決手段】  光入射部から光出射部へ光を導くＳｉＯ2膜等の光導波路２１ａと、この光導波路２１ａの外面に接して設けられたフォトダイオード等の受光部２と、光導波路２１ａに内設された４５°ミラー面の光反射部５とを有し、垂直入射光１１をミラー９で反射後に導びかれた信号光１１を光反射部５によって９０°光路変換して受光部２に入射してモニタを行う一方、残りの信号光を光導波路２１ａから出射する、光導波装置２３ａ。【選択図】          図１
2006047894.tif 000002
【特許請求の範囲】
【請求項１】
光入射部から光出射部へ光を導く光導波路と、前記光導波路の外面に接して設けられた光電変換素子と、前記光導波路に内設された光反射部とを有し、前記光反射部によって前記光導波路と前記光電変換素子との間で光路変換が行われる、光導波装置。
【請求項２】
前記光導波路に交差して配置された前記光入射部からの入射光が、前記光導波路に内設された光反射手段によって光路変換されて、少なくとも前記光反射部に導かれる、請求項１に記載の光導波装置。
【請求項３】
前記光導波路を伝搬する前記入射光が、前記光反射部を介して前記光電変換素子に入射する、請求項１又は２に記載の光導波装置。
【請求項４】
前記光反射部から前記光電変換素子への入射光が、前記光導波路への入射光のモニタ用として用いられる、請求項３に記載の光導波装置。
【請求項５】
前記光導波路の一部分が切除され、この切除部が低屈折率物質で充填されることによって、前記光反射部及び／又は前記光反射手段が構成されている、請求項３に記載の光導波装置。
【請求項６】
前記光反射部及び／又は前記光反射手段が、波長選択性のあるグレーティングとして構成されている、請求項３に記載の光導波装置。
【請求項７】
前記グレーティングによって、多重波長の入射信号光が選択若しくは分離され、前記光反射部を介して前記光電変換素子に入射する、請求項６に記載の光導波装置。
【請求項８】
共通の前記光導波路に前記光反射手段を介して連設された複数の前記光入射部に対応して、光源がアレイ状に配置されている、請求項１に記載の光導波装置。
【請求項９】
前記光源アレイからの各出射光が光収束手段により収束されて前記光入射部へ導かれる、請求項８に記載の光導波装置。
【請求項１０】
前記光導波路が、第１及び第２の半導体基板間に挟持され、前記第１の半導体基板に前記光電変換素子及び半導体集積回路素子が組み込まれている、請求項１に記載の光導波装置。
【請求項１１】
前記光導波路のコアが前記第１及び第２の半導体基板間の絶縁層からなる、請求項１０に記載の光導波装置。
【請求項１２】
前記光導波路のコアが前記第１の半導体基板側の不純物ドープの半導体層によって形成されている、請求項１０に記載の光導波装置。
【発明の詳細な説明】
【技術分野】
【０００１】
本発明は、光配線等として用いられる光導波装置に関するものである。
【背景技術】
【０００２】
従来、ＬＳＩ（大規模集積回路）等の半導体チップ間の信号伝達は、一般に、基板配線を介した電気信号によってなされている。しかしながら、昨今のＭＰＵ（Microprocessor Unit）の高機能化にともない、チップ間にて必要となるデータの授受量は著しく増大し、信号の高速化や信号配線の高密度化が必要となっており、結果として様々な高周波問題が浮上している。
【０００３】
それらの代表的なものとして、配線の抵抗と容量による信号遅延、インピーダンスミスマッチ、或いはノイズやクロストークの発生などのＥＭＣ／ＥＭＩ（Electro-Magnetic Compatibility／Interference；電子機器が電磁波妨害を与えたり、受けたりすることを防止する、電磁環境に対する適合性）等が挙げられる。このような問題を解決するため、配線配置の最適化や新素材開発などの様々な手法が開発されてきている。
【０００４】
まず、これらの手法の内、チップ内のバックエンド配線材料の改善について説明する。これまで、高集積化、高速化のためのデザインルールの微細化に伴って、配線も微細化を繰り返し、その都度、配置構造の最適化・新素材開発等の様々な手法を駆使し、バックエンド配線の改善、解決に当っている。
【０００５】
例えば、デザインルールで言うところの０．１８ミクロンルール世代から０．１３μｍミクロンルール世代までは、ＳｉＯ2を絶縁膜として、アルミニウムをメタル導線とする構造で配線が形成されてきたが、０．９μｍ（あるいは９０ｎｍ）世代では、アルミニウムに替わり、比抵抗の低い銅が配線金属材料として採用され、現在量産が開始され始めた最先端プロセスといわれる６５ｎｍ世代では、銅配線に加えて、低誘電率膜（以下Ｌｏｗ−ｋ膜と呼ぶ）を複合的に採用することでトータルの配線ＲＣ遅延を低減する構造が用いられている。
【０００６】
しかし、近年、上記のバックエンド配線配置の最適化や銅や低誘電率膜などの新素材開発等の効果も物性的限界に阻まれつつあり、また高度な微細化により配線層数は増大し、今後システムの更なる高機能化を実現するためには、単純な半導体チップのデザインルールに、微細化を前提としたシュリンクそのものを見直す必要が生じてきている。近年、これら諸問題を解決すべく様々な抜本対策が提案されているが、以下にその代表的なものを記す。
【０００７】
例えば、Ｈｙ−Ｂｒｉｄ構造による絶縁膜の実効誘電率の低減、及びバックエンドのリバーススケーリング手法である。
【０００８】
この内、バックエンドのリバーススケーリング手法については、下層の配線においては、スケーリングのシュリンクに伴い微細化する一方で、上層のグローバル配線及びセミグローバル配線においては、逆に拡大させることで配線遅延を抑制する構造である。
【０００９】
以上のように、バックエンド配線の最適化構造・材料・プロセス等が各種考案実施されているが、現在研究開発段階にある４２ｎｍＮｏｄｅの先にある３２ｎｍＮｏｄｅ以降を想定した場合に、素子を微細化するプロセス以前に、素子の動作速度に見合った必要な周波数帯域で十分な伝送容量の情報を伝達するための配線構造は既に破綻しており、絶縁膜とメタルとから成る電気的な信号伝送でシュリンクすることに替わる何らかの新しい手法を導入する必要がある。
【００１０】
次に、チップ実装による電気的配線最適化による方法について説明する。
【００１１】
上記のようなチップ内のバックエンド配線構造の最適化とは別に、上記の問題を解決するため、これまで実装業界などが中心となり、配線配置の最適化や新素材開発等の様々なチップ実装手法を駆使し、解決に当っている。
【００１２】
これ等は、今後のシステムの更なる高機能化を実現するために、単純な半導体チップの実装を前提としたプリント配線板の構造そのものを見直すことで、高周波伝送にまつわり発生する諸問題を解決すべく様々な抜本対策が提案されているが、以下にその代表的なものを記す。
【００１３】
なお、上記の諸問題とは、例えば、配線断面積の変化により反射波が発生し誤作動が生じてしまう反射（インピダンスマッチ）、高周波伝送により配線抵抗が∞となり消費電力増加となるエネルギー衰退（インピダンス増加）、高周波伝送により信号不安定と誤動作を生じさせるクロストーク（同時切り替えノイズ）及び、高密度配線により電磁気干渉が生じスキュー増加を生じさせる電磁ノイズ（ＥＭＣ）等がある。
【００１４】
そして、これら諸問題の解決方法としては、例えば、マルチチップモジュール（ＭＣＭ）化による微細配線結合、ポリイミド樹脂などを用いた二次元的な各種半導体チップの封止及び一体化による電気配線結合、基板貼り合わせによる半導体チップの三次元的結合等の開発がなされている。
【００１５】
まず、ＭＣＭ化による微細配線結合は、高機能チップを、セラミックやシリコンなどの精密実装基板に実装し、従来のマザーボード（多層プリント基板）上では形成不可能な微細配線結合を実現する。これによって配線の狭ピッチ化が可能となり、バス幅を広げることでデータ授受量を飛躍的に増大させることができる。
【００１６】
次に、チップの封止・一体化による電気配線結合は、ポリイミド樹脂などを用いて各種半導体チップなどを二次元的に封止・一体化し、一体化された基板上にて微細配線結合を行う。これによって配線の狭ピッチ化が可能となり、バス幅を広げることでデータ授受量を飛躍的に増大させることができる。
【００１７】
次に、基板貼り合わせによる半導体チップの三次元結合は、各種チップに貫通電極を設け、それぞれを貼り合せることで積層構造とする。これにより、異種チップ間の結線が短縮され、信号遅延などの問題が回避される。但し、積層化による発熱量増加やチップ間熱応力などの新たな問題が生じる。
【００１８】
更に、より根本的に信号授受の高速化および大容量化を実現する技術として、図１６に示すような光配線による光信号伝送結合技術を有する光導波路装置７３ａが開発されている（例えば、後述の非特許文献１参照。）。
【００１９】
この構造においては、貫通孔６４、面発光レーザの駆動ＩＣ６３及び貫通孔電極を設けた面発光レーザ６８が、サブマウント６５と金属製のポスト６６とからなるインターポーザ６１によってプリント配線基板７０上に支持されており、フォトダイオードの受信用ＩＣ６０及び貫通孔電極を設けたフォトダイオード６２が、サブマウント６５と金属製のポスト６６とからなるインターポーザ６１によってプリント配線基板７０上に支持されており、光入射部及び光出射部にそれぞれ光学部品６９を有する光導波路６７がプリント配線基板７０上に配置され、貫通孔電極を設けた面発光レーザ６８、及び貫通孔電極を設けたフォトダイオード６２が、それぞれの光学部品６９に対応する位置に配置されている。
【００２０】
この技術は、電気信号を光信号に変換して光導波路６７を介して送ることにより、チップ間の伝送速度そのものを大幅に向上させるものである。また、光信号は電磁波に関する対策を全く必要とせず、比較的自由な配線設計が可能となる。但し、新たに、変換による時間的ロスや光素子コストなどの問題が生じるので、この対策が重要となる。なお、以下、本明細書において、発光素子および受光素子を区別しない場合に、これらを光素子と呼ぶことがある。
【００２１】
次に、チップ間の信号伝送に対応する光配線技術には様々な方式のものが提案されており、例えばアクティブインタポーザー方式（後述の非特許文献１のｐ．１２５、図７参照。）、自由空間伝送方式（後述の非特許文献１のｐ．１２３、図５参照。）、光コネクタ接続方式（後述の非特許文献１のｐ．１２２、図４参照。）、光導波路埋め込み方式（後述の非特許文献１のｐ．１２４、図６参照。）および光導波路表面実装方式（後述の非特許文献２参照。）などがある。
【００２２】
例えば、アクティブインタポーザー方式とは、ボード上に光導波路を実装し、光導波路の入射側末端および出射側末端に光ファイバコネクタを取りつけ、ボード間の伝送は光ファイバにて行う。光素子はトランシーバモジュールの裏面に実装し、導波路の４５度全反射ミラーに対し精密に位置決めするものである。
【００２３】
この方式の利点は、既存のボードシステムの上に展開できることや、光ファイバを用いるため、ボード内外を問わず幅広い適用が可能であることである。しかし、構造が大掛かりなためコスト高になること、光軸合わせが困難であること、電気伝送経路の短縮が難しく高周波伝送に不向きであること、そして伝送媒体として光ファイバを採用しているため、多バス化に限界が有ることが問題点である。
【００２４】
次に、自由空間伝送方式とは、光伝送路として光配線基板（石英）をボード裏面に実装し、光配線基板内において光をジグザグに反射させ、信号を伝播させるものである。光軸合わせを容易にするため、数枚のレンズを組み合わせたハイブリッド光学系を構成する。
【００２５】
この方式の利点は、光素子アレイと自由空間伝送により、原理的には数千レベルの多チャンネル化（多重伝送）が可能であることや、ハイブリッド光学系を構成しているため光軸合わせが容易であることである。しかし、光配線基板（石英）が高価であることや、反射による信号伝播は、波形が乱れやすく、伝播損失が大きくなることが問題点である。また、新規開発技術が数多く盛り込まれているため、信頼性に関する実績がほとんど無いという問題点もある。
【００２６】
次に、光コネクタ接続方式とは、ＬＳＩチップの周囲に小型の光ファイバコネクタを取りつけ、ＬＳＩチップ間の伝送は光ファイバにて行い、ＬＳＩ実装後に光路を自在に設定できる光伝送モジュールシステムを構成するものである。
【００２７】
この方式の利点は、光コネクタにより光素子と光路との結合精度が保証されており、コストのかかる光軸合わせ工程が不要であること、光ファイバを用いているため、ボード間などの中距離伝送が可能であること、そして既存のボードシステム上に展開できることである。しかし、光コネクタモジュールの小型化に限界があり、ＬＳＩチップと光コネクタとの間の電気配線の短縮化が困難であるため、高周波伝送用としては不向きであることや、伝送媒体として光ファイバを採用しているため、多バス化に限界が有ることや、構成部品数が多く、バス当りのコストダウンが困難であることが問題点である。
【００２８】
次に、光導波路埋め込み方式とは、光素子をＬＳＩ裏面に直接貼り付け、光導波路をプリント基板に埋め込み、既存のボードシステムの形態を維持しながら光配線を設ける方法である。また、光素子と光路との結合にマイクロレンズを採用することで、光軸ずれ許容量を一般実装精度レベルまで緩和させている。
【００２９】
この方式の利点は、光素子をＬＳＩチップの裏面（電極形成面）に直接実装しているため、ＬＳＩチップと光素子との間の電気配線経路を極限まで短くできることや、コリメート光結合により一般実装精度での光軸合わせが可能であることである。しかし、光配線をプリント基板内に設けるため、ボードの製造・コストダウンが困難であること、光素子の放熱対策が不明であること、そしてプリント基板が脆弱であるため、マイクロレンズと光導波路との間の光結合損失が変動する可能性が有ることが問題点である。
【００３０】
次に、光導波路表面実装方式とは、光素子をＬＳＩチップの裏面に固定し、光導波路をプリント基板の表面上に実装し、既存のボード構造をそのまま維持しながら光配線を併設する方法である。また、光素子と光路との結合にマイクロレンズを採用することで、光軸ずれ許容量を一般実装精度レベルまで緩和させている。
【００３１】
この方式の利点は、光素子をＬＳＩチップの裏面（電極形成面）に直接実装しているため、ＬＳＩチップと光素子との間の電気配線経路を極限まで短くできることや、コリメート光結合により一般実装精度での光軸合わせが可能であることである。また、構造がシンプルであるためコストダウンが可能で、既存のボードシステム上に展開できる利点もある。ただ、若干の懸案点として、光素子をＬＳＩチップに直接貼りつけるため、専用ＬＳＩの開発が必要であることや、高温のＬＳＩチップの熱によって光素子が劣化する心配があることが挙げられる。
【００３２】
以上、代表的なチップ実装による光伝送システムの５仕様を示したが、現状では未だ、実装によるボード配線システムとして単純に電気伝送と比較した場合においても、各案共に以下のような課題及び問題点がある。
【００３３】
例えば、ボード上に光経路を直接積層する構造は、ベースとなるボード自体が脆弱であるため、埋め込み型導波路等では光軸ズレ等の問題が生じる。上記の１案の様なポスト構造では、外部応力により光軸ズレを引き起こし易い。
【００３４】
また、はんだリフロー、アンダーフィル樹脂封止等、光素子実装後の高温プロセスを考慮した材料・部品を採用しなくてはならず、大きな制約条件となる。
【００３５】
また、上記のファイバを用いた案等は、高密度化が不可能で、装置間通信に向けたシステムとして限定されたものとなる。また、ＬＳＩと光素子との間の電気配線長を短くできない構造では、高周波信号が光素子に到達する前に劣化し、光変換の効果が無くなる。よって、この距離を短くできるシステム構造を構築する必要がある。
【００３６】
以上の理由により、現状では未だ、実装によるボード配線システムとして単純に電気伝送と比較した場合においても、各案共に課題及び問題点がある。
【００３７】
ここでさらに、チップ内配線のＬＳＩチップ内のシリコン上に形成されたトランジスタ、キャパシタ等によりフロントエンドに形成された素子間同士、又はこれら素子のブロックの間同士での信号伝播における接続配線を考慮した場合、光素子チップ実装によるこれらの手法・構造では、いわゆる基幹系の光伝送物理をシュリンクしただけであり、伝送する出力電気信号のコーデック、ＭＵＸ・ＤＥＭＵＸ等のシステムアーキテクチャとして必要となる回路チップ以外に、発光素子の駆動回路チップ、発光素子チップ（光電変換素子）、導波路（光路）、受光素子チップ（電光変換素子）、インピーダンスマッチング回路及びＩＶ変換回路が物理的に少なくとも必要で、モノリシックで形成できない限りこれら物理層の要素の個数分のチップを減らすことはできない。
【００３８】
従って、上述したような電気伝送と比較した実装上の問題以前に、上記の物理チップ各々の動作消費電力は単純和として積算されること、実装によるアライメント誤差、歩留まり及びコストが累積することが根本的に不可避な問題点として存在する。
【００３９】
上記したように、ＬＳＩの集積化が限界を迎えようとしている。そして、その代替法として電気伝送を光伝送に代える案が広く提唱されており、その一手法として、ＳＯＩ（Silicon On Insulator）基板＋レーザダイオード（ＬＤ）→導波路（ＷＧ）→フォトデティクタ（ＰＤ）による光電複合チップが考えられる。
【００４０】
現状、ＬＳＩ内における同期を取るために電気により同期信号を伝送している。しかし、上記したように、電気ではその電磁波の相互干渉、消費電力の増加、ＲＣ遅延等により、ＧＨｚレベルの質の良い同期信号配信が困難となりつつある。よって、これらクロック信号のみを光伝送化することで、上記問題を解決することが可能となる。
【００４１】
更に、ＬＳＩ内には様々な機能を持つブロックが混在するが、それぞれの電源電圧や変調帯域等が異なり、相互電磁干渉等の問題が発生し易い。これらのブロック間の伝送を光化することで、ブロック間のアイソレーションが可能となり、チップ機能の信頼性が向上する。
【００４２】
そして、このＳＯＩ構造のウェーハを用いることで、上記の物理層を部分的に１チップ化して要素の複合機能化・個数削減を行う構造が広く提案されている。しかし、水平方向への光の導波は容易であるが、垂直方向、即ち信号を導波層に伝播させる手段、或いは導波光を機能素子に導入する手段に関しては、製造・設計の困難なＰＣ（フォトニッククリスタル）構造程度しか提案されていない。ＰＣ構造を用いずに信号の垂直導波を可能とする構造、及びＰＣ構造の一例を示す。
【００４３】
まず、図１７に示すように、ＰＣ構造を用いずに信号の垂直導波を可能とする構造であるＳＯＩ構造の光導波路装置７３ｂについて説明する（後述の特許文献１を参照）。
【００４４】
この光導波路装置７３ｂの構造においては、４５°の傾斜角を有する光反射部８１及び信号受信部８４をその導波路中の所定位置に有する光導波路８５が、半導体基板８０の所定位置に設けられており、この光導波路８５上に酸化膜７９及び半導体層７８（半導体基板）が順次形成され、この半導体層７８には、光反射部８１の上部位置に凹部７７が設けられ、更にＭＯＳトランジスタ等を有する半導体集積回路７４が表面付近に形成されている。更に、光導波路８５の光入射側には波長誘導部（レンズ）７２を介して光ファイバ７１ａが配置され、酸化膜７８の凹部７７上の光出射側にはレンズ７２を介して光ファイバ７１ｂが配置されている。
【００４５】
次に、光ファイバ７１ａから波長誘導部７２を介して収束され光導波路８５の光入射側から入射する入射光７６の一部は、信号受信部８４に入射した後にこの信号受信部８４の上部に設けられた導電部８３に電気信号８２を送り出すことができる。更に、信号受信部８４に入射しなかった入射光７６は光反射部８１で光導波路８５に対して垂直方向に反射して反射光７５となり、凹部７７及びレンズ７２を通過して光ファイバ７１ｂに入射する。
【００４６】
次に、図１８について、ＰＣ構造を用いた光導波路装置７３ｃを説明する。
【００４７】
まず、図１８（Ａ）に示す構造では、直線状に配列されたＰＣ構造９０において、所定位置に線欠陥導波路８９を設け、更に、ＰＣ結晶９０からなる構造内の所定位置に、点欠陥共振器８８ａ、８８ｂ、８８ｃ、８８ｄ、８８ｅ、８８ｆ及び８８ｇをそれぞれ設けてある。
【００４８】
そして、複数の波長の異なる光からなる入射光９２が線欠陥導波路８９の光入射側から入射すると、点欠陥共振器８８ａ、８８ｂ、８８ｃ、８８ｄ、８８ｅ、８８ｆ及び８８ｇから、それぞれの波長が異なる出射光８７ａ、８７ｂ、８７ｃ、８７ｄ、８７ｅ、８７ｆ及び８７ｇに分光される。
【００４９】
図１８（Ｂ）に示す構造では、破線で示すヘテロ界面９３を有する内面へテロ構造で結晶領域９１ａと結晶領域９１ｂとに分割され、点欠陥共振器８８ａ及び８８ｂが領域９１ａ及び９１ｂのそれぞれの所定位置に設けられたＰＣ構造９０を構成する。なお、屈折率が比較的高い線欠陥導波路は極微小な光導波路であり、各点欠陥共振器はその欠陥面積を変化させることにより特定の波長の光を捕獲し、自由空間へドロップ（或いはアッド）するためのものである。なお、上記のＰＣ構造部は比較的屈折率が低い。
【００５０】
ここで、複数の波長の異なる光からなる入射光９２が線欠陥導波路８９の光入射側から入射した後に、ＰＣ構造部９０を介して各波長ごとに点欠陥共振器８８ａ及び８８ｂに達し、ここからそれぞれ波長が異なる出射光８７ａ及び８７ｂとして出射する。
【００５１】
【非特許文献１】日経エレクトロニクス、”光配線との遭遇”、2001年12月3日, p.122〜125, 図4〜7
【非特許文献２】安藤泰博、”光インタコネクション技術の動向と次世代装置実装技術”、NTT R&D, Vol.48, No.3, p.271-280(1999)
【特許文献１】ＷＯ  ２００４／０１０１９２  Ａ２（第７頁１５行目〜第８頁２０行目、ＦＩＧ．１）
【発明の開示】
【発明が解決しようとする課題】
【００５２】
ここで、上述の図１７に示したＳＯＩ構造の光導波路装置７３ｂにおいては、光導波路８５中に信号受信部８４が存在するために、この信号受信部８４に入射光７６の大部分が入射して、光伝搬方向において後段に位置する光反射部８１に光を十分に伝搬させ難くなり、結果として光ファイバ７１に十分な量の光を送り難くなる恐れがある。
【００５３】
また、上述の図１８に示したＰＣ構造の光導波路装置７３ｃにおいては、垂直導波は可能であるものの、所望の結晶配列を形成し、所望の位置や大きさに線欠陥及び点欠陥を形成するには、高度な技術が必要であり、それらの形成が困難である。
【００５４】
本発明はこのような状況に鑑みてなされたものであり、その目的は、光導波路内を十分に光を伝搬させ、光路変換による例えば光検出を行うことができ、作製も容易な光導波装置を提供することにある。
【課題を解決するための手段】
【００５５】
即ち、本発明は、光入射部から光出射部へ光を導く光導波路と、前記光導波路の外面に接して設けられた光電変換素子と、前記光導波路に内設された光反射部とを有し、前記光反射部によって前記光導波路と前記光電変換素子との間で光路変換が行われる、光導波装置に係わるものである。
【発明の効果】
【００５６】
本発明の光導波装置によれば、前記光電変換素子が前記光導波路の外面に接して設けられ、前記光導波路に内設された光反射部によって前記光導波路と前記光電変換素子との間で効率良く光路変換が行われるために、光導波路内で十分に光を伝搬させることができると共に、光路変換して前記光電変換素子と前記光導波路との間の光伝搬（光結合）を良好に行うことができる。
【００５７】
また、従来から確立されている工程を用いてこの光導波装置を容易に作製することができる。
【発明を実施するための最良の形態】
【００５８】
本発明においては、前記光導波路への光入射と前記光反射部への光導波とを効率良くかつ容易に行う上で、前記光導波路に交差して配置された前記光入射部からの入射光が、前記光導波路に内設された光反射手段によって光路変換されて、少なくとも前記光反射部に導かれるのが望ましい。
【００５９】
また、前記光電変換素子、例えば入射光のモニタ用のフォトダイオードへの入射を十分な光量で行うには、前記光導波路を伝搬する前記入射光が、前記光反射部を介して前記光電変換素子に入射するのが望ましい。
【００６０】
この場合に、前記光導波路の一部分が切除され、この切除部が低屈折率物質で充填されることによって、前記光反射部及び／又は前記光反射手段が構成されていると、反射率を向上させることができる。
【００６１】
また、前記光反射部及び／又は前記光反射手段が、波長選択性のあるグレーティングとして構成されていると、前記光導波路内を伝搬する光の特定波長成分を反射させることができる。
【００６２】
特に、前記グレーティングによって、多重波長の入射信号光が選択若しくは分離され、前記光反射部を介して前記光電変換素子に特定波長光を入射することができ、前記光電変換素子が波長選択性（又は波長感度）のある場合に有利である。
【００６３】
また、共通の前記光導波路に前記光反射手段を介して連設された複数の前記光入射部に対応して、光源がアレイ状に配置されている構造としてもよい。
【００６４】
この場合に、前記光源アレイからの各出射光を効率良く前記光入射部に導くために、前記光源アレイからの各出射光が光収束手段により収束されて前記光入射部へ導かれるのが望ましい。
【００６５】
また、前記光導波路が、第１及び第２の半導体基板間に挟持され、前記第１の半導体基板に前記光電変換素子及び半導体集積回路素子が組み込まれているのが望ましい。これによって、いわゆるＳＯＩ構造を用いて光導波装置を作製することができる。
【００６６】
例えば、前記光導波路のコアが前記第１及び第２の半導体基板間の絶縁層（例えば一対のシリコン基板間のＳｉＯ2層）からなっていてよい。或いは、前記光導波路のコアが前記第１の光半導体基板側の不純物ドープの半導体層（例えばゲルマニウムドープのシリコン層）からなっていてもよい。
【００６７】
次に、本発明の好ましい実施の形態を図面参照下に具体的かつ詳細に説明する。
【００６８】
第１の実施の形態
図１〜図３は、本発明の第１の実施の形態を示すものである。
【００６９】
まず、図１（Ａ）に示すように、孔部１０（光入射部）から入射する光を導く本実施の形態による光導波装置２３ａの構造によれば、孔部８を有するベース基板となるシリコン等の半導体基板７（第２の半導体基板）上に、断面ほぼ直角三角形で４５°の反射面５を有する光反射部の複数個、及び断面二等辺三角形又は楔形で４５°の反射ミラー９を有する光反射手段を内設する酸化膜３が光導波路２１ａを形成しており、この光導波路２１ａ上に、複数の受光部２（フォトダイオード等の光電変換素子）、バイポーラトランジスタ１２及びＭＯＳトランジスタ１３等の半導体集積回路素子が作り込まれかつ孔部１０が光入射部として形成されたシリコン等の半導体層１（第１の半導体基板）が接合されていて、ＳＯＩ基板を用いた光電複合素子を構成している。
【００７０】
フォトデティクタとしての複数の受光部２は光導波路２１ａの内面において光導波路２１ａに接して設けられており、これらの受光部２の受光面に対向した位置に複数の光反射面５がそれぞれ設けられている。そして、孔部１０、ミラー９及び孔部８が同軸上で光導波路に直交（交差）するように配置され、ここで、ミラー９の位置を変更することにより光導波路２１ａ内を図面左及び右方向に分岐して伝搬する光の分布を制御することができるようにしてある。
【００７１】
本実施の形態においては、光導波路２１ａに対して垂直方向に形成された孔部１０から入射する入射光１１が、図中の矢印で示すように、光導波路２１ａに内設された光拡散ミラーとしてのミラー９によって水平方向に２つの光路に光路変換されて、少なくともその１つの光路が複数の光反射面５の存在する方向に伝搬する。この場合に、光導波路２１ａを伝搬する入射光１１の大部分は、そのまま光導波路２１ａ内を引き続き伝搬して出射されるが、入射光１１の一部はそれぞれの光反射面５で９０°反射されて対応するそれぞれの受光部２に垂直方向に同時に入射し、その各光量が検出され、光導波路２１ａへの入射光１１のモニタ用としてそれぞれ用いることができる。
【００７２】
また、図１（Ｂ）には別の光導波路構造を示すが、不純物（例えばゲルマニウム）をドープしたシリコン等の半導体層６からなる高屈折率の光導波層２１ａが、ＳｉＯ2等の酸化膜３Ａを介して基板７と接合されている。不純物（例えばゲルマニウム）をドープしたコア６は、クラッドとしての基板１及び酸化膜３Ａよりも屈折率が高いものとする。
【００７３】
次に、図２〜図３について、光導波装置２３ａの作製工程の例を順次説明する。
【００７４】
まず、図２（ａ）に示すシリコン基板１の表面に、図２（ｂ）に示すように、受光部２となるフォトデティクタ（ＰＤ）を常法によって複数設ける（図１（Ｂ）の光導波路の場合には、一点破線で示すように、後述の酸化膜材３ａの替わりに不純物ドープの半導体層６を形成する）。
【００７５】
次に、図２（ｃ）に示すように、受光部２を含めた全面を覆うようにして基板１上に酸化膜材３ａを形成する。例えば、ＳｉＯ2膜を化学気相成長法（ＣＶＤ）によって形成することができる。
【００７６】
次に、図２（ｄ）に示すように、酸化膜材３ａ上にレジスト４を塗布形成する。
【００７７】
次に、図２（ｅ）に示すように、光反射面５を形成するための凹部５ａを、受光部２に対応する位置において、レジスト４に形成する。この凹部５ａは、３次元露光及び現像によって形成する。
【００７８】
次に、図２（ｆ）に示すように、表面からドライエッチング（リアクティブイオンエッチング：ＲＩＥ）を行うことによって、レジスト４が除去されつつこの凹部５ａがそのまま保持されて酸化膜材３ａもエッチングされ、酸化膜材３ａに凹部５ａを形成して、酸化膜３とする。
【００７９】
次に、図３（ｇ）に示すように、酸化膜３とは異なる屈折率を有するＳｉＯ2（低屈折率物質）を酸化膜３上に塗布又はデポすることによって光反射面材５ｂを形成する。
【００８０】
次に、図３（ｈ）に示すように、光反射面材５ｂを上面側から化学機械研磨法（ＣＭＰ）によって酸化膜３の表面が露出するまで研磨し、平坦化する。これによって、凹部５ａに低屈折率の光反射材を埋め込み、光反射面５を形成する。
【００８１】
次に、図３（ｉ）に示すように（図では上下を逆にしてある。）、酸化膜３の露出面上にシリコン基板７を接合することによって、ＳＯＩ構造を形成する。
【００８２】
次に、図３（ｊ）に示すように、信号受信部２とは反対側から化学機械研磨法（ＣＭＰ）によって所定の厚さに基板１を研磨する。
【００８３】
次に、図３（ｋ）に示すように、バイポーラトランジスタ１２及びＭＯＳトランジスタ１３等の半導体集積回路素子を常法に従って基板１に形成する。
【００８４】
次に、基板７の所定箇所を貫通して、ウェットエッチング用の孔部８を、レジストをマスクとした選択性ドライエッチングによって形成する。
【００８５】
更に、孔部８を介して、例えば、ＤＨＦ（希フッ酸：例えば、濃度０．５％）へのディッピングによりＳｉＯ2の等方エッチングを行うことによって、ＳｉＯ2膜３内に孔部８と連設された断面二等辺三角形の反射ミラー９を形成する。
【００８６】
次に、図１（Ａ）に示したように、ミラー９に対応した基板１の部分を貫通して、光導入用の孔部１０をレジストマスクによる選択性ドライエッチングによって垂直方向に形成する。こうして、光導波装置２３ａの作製工程を終了する。
【００８７】
本実施の形態による光導波装置２３ａによれば、モニタ用の受光部２が光導波路２１ａの外面に接して設けられ、光導波路２１ａに内設された光反射部５によって、光導波路２１ａから受光部２への入射光の一部を反射して光路変換を行えるために、光導波路２１ａ内において効率良く光を伝搬させながら光検出を行うことができる。モニタ以外の光は、光導波路２１ａの光出射端から出射され、信号光として取り出せる。
【００８８】
また、この光導波装置２３ａは、従来のＳＯＩ構造の作製工程と同様の工程を基本的に変更することなしに作製でき、ＳｉＯ2膜からなる光導波路２１ａに光反射部５及び光反射部５及び光反射手段９を、基板１にフォトディテクタ２を作り込むだけで容易に作製することができる。
【００８９】
第２の実施の形態
図４〜図５は、本発明の第２の実施の形態を示すものである。
【００９０】
本実施の形態における光導波装置２３ｂにおいては、図４に示すように、上記した複数の光反射面５の替わりに、基板７に垂直に貫通した孔部８に連設した複数のミラー９が受光部２に対応して酸化膜３に内設されていること以外は、上述の第１の実施の形態と基本的に同様である。
【００９１】
本実施の形態においては、図中の矢印で示すように、光導波路２１ａの端面から水平方向に入射する入射光１１が複数のミラー９の存在する方向に伝搬する。そして、光導波路２１ａを伝搬する入射光１１の大部分はそのまま光導波路２１ａ内を伝搬して光出射端に達するが、入射光１１の一部は、それぞれのミラー９の４５°反射面を介して、対応するそれぞれの受光部２に垂直方向に同時入射し、検出される。
【００９２】
このような光導波装置２３ｂを作製するには、図５（ａ）に示すように、基板１上に複数の受光部２と酸化膜３とを上述したと同様に形成した後に、図５（ｂ）〜図５（ｃ）に示すように、上述の図３（ｉ）〜図３（ｊ）と同様の工程を行い、ＳＯＩ構造を形成する。
【００９３】
次に、図５（ｄ）に示すように、上述したと同様に、各受光部２に対応して、基板７に孔部８をそれぞれ設け、更に、この孔部８に面した酸化膜３内にミラー９を形成して、光導波装置２３ｂの作製工程を終了する。
【００９４】
本実施の形態においても、上述した第１の実施の形態と同様に、光導波路２１ｂ内を効率良く光を伝播し、モニタを行える等の作用及び効果を得ることができる。
【００９５】
第３の実施の形態
図６〜図８は、本発明の第３の実施の形態を示すものである。
【００９６】
本実施の形態による光導波装置２３ｃにおいては、図６に示すように、上述したミラー５、９の替わりに、グレーティング（４５°反射面を有する凹凸形状のサイズやピッチ等により所望の波長光を反射できるもの）が光導波路２１ｃ内に複数箇所に設けられている。これらの複数のグレーティングのうち、光入射部では左右に光反射するグレーティング３５が設けられ、またそれぞれが異なる波長光を選択して反射する凹凸形状の異なるグレーティング１５及びグレーティング２５が複数の受光部２にそれぞれ対応して内設されていること以外は、上述の第１の実施の形態と基本的に同様である。
【００９７】
本実施の形態においては、光導波路２１ｃに直交して配置された孔部１０を介して垂直方向に入射する多重波長の入射光（入射信号光）１１のうち所望の信号光のみが、図中の矢印で示すように、光導波路２１ｃに内設されたグレーティング３５によって水平方向に２つに分離され、グレーティング１５及びグレーティング２５の存在する方向に光導波路２１ｃ内を伝搬する。
【００９８】
そして、光導波路２１ｃ内を伝搬する多重波長光の大部分はそのまま光導波路２１ｃ内を伝搬して光出射端から出射されるが、その多重波長光の一部は、それぞれが異なる波長光を選択的に反射するグレーティング１５及びグレーティング２５を介して、異なる波長光として対応するそれぞれの各受光部２に垂直方向に同時入射し、検出される。
【００９９】
このような光導波装置２３ｃを作製工程するには、図７（ａ）に示すように、上述の図２（ａ）〜図２（ｄ）と同様の工程を経て、基板１上に複数の受光部２、酸化膜材３ａ及びレジスト４を形成した後に、図７（ｂ）〜図７（ｃ）に示すように、上述したエッチングによってレジスト４上の所定位置に凹部１５ａ、凹部２５ａ及び凹部３５ａを形成し、続けてＲＩＥによって酸化膜３上に凹部１５ａ、凹部２５ａ及び凹部３５ａを形成する。その後、図７（ｄ）に示すように、凹部１５ａ、凹部２５ａ及び凹部３５ａを含む全面にグレーティング材１５ｂを形成する。
【０１００】
次に、図７（ｅ）〜図８（ｇ）に示すように、上述の図３（ｇ）〜図３（ｊ）と同様の工程を経て、基板１を研削し、基板７を接合したＳＯＩ構造を形成する。この構造において、グレーティング１５、グレーティング２５及びグレーティング３５を酸化膜３内のそれぞれの所定位置に形成する。
【０１０１】
次に、図８（ｈ）に示すように、基板１に各トランジスタ１２及び１３等の集積回路素子を形成し、更に、図６に示したように、次に、グレーティング３５の上部において基板１に孔部１０を形成して、光導波装置２３ｃの作製工程を終了する。
【０１０２】
本実施の形態によれば、入射光のうち所望の多重波長信号光（ＷＤＭ）を選択的に導入した後、それぞれの受光部２に対応するグレーティング１５及び２５によって、その多重波長信号光を自在に分波し、受光することが可能となる。
【０１０３】
その他、本実施の形態においては、上述した第１の実施の形態と同様の作用及び効果を得ることができる。
【０１０４】
第４の実施の形態
図９〜図１１は、本発明の第４の実施の形態を示すものである。
【０１０５】
本実施の形態による光導波装置２３ｄにおいては、図９に示すように、孔部１０及びグレーティング３５が存在しない光導波路２１ｄを具備すること以外は、上述の第３の実施の形態と基本的に同様である。
【０１０６】
本実施の形態においては、光導波路２１ｄにその端部から水平方向に入射する入射光１１（多重波長光）が、図中の矢印で示すように、グレーティング１５及びグレーティング２５の存在する方向に伝搬する。そして、光導波路２１ｄ内を伝搬する多重波長光の大部分はそのまま光導波路２１ｄ内を伝搬して光出射端に達するが、多重波長光の一部は、それぞれが異なる波長光を反射するグレーティング１５及びグレーティング２５を介して、異なる波長光として対応するそれぞれの受光部２に垂直方向に同時入射して検出される。
【０１０７】
このような光導波路装置２３ｄを作製するには、図１０（ａ）〜図１１（ｇ）に示すように、孔部１０及びグレーティング３５を設けないこと以外は、上述の図７（ａ）〜図８（ｇ）と同様の作製工程を経て、酸化膜３（光導波路２１ｄ）内にグレーティング１５及びグレーティング２５を形成する。
【０１０８】
次に、基板１上に各トランジスタ１２及び１３等の半導体集積回路素子を形成して、光導波装置２３ｄの作製工程を終了する。
【０１０９】
本実施の形態においては、上述した第１及び第３の実施の形態と同様の作用及び効果を得ることができる。
【０１１０】
第５の実施の形態
図１２〜図１４は、本発明の第５の実施の形態を示すものである。
【０１１１】
本実施の形態による光導波装置２３ｅにおいては、図１２に示すように、上述した第１の実施の形態と同様に孔部１０、孔部８及びミラー９が光入射部の所定位置に形成されている光導波路２１ｅを具備すること以外は、上記の第３の実施の形態と基本的に同様である。
【０１１２】
本実施の形態においては、光導波路２１ｅに直交して形成された孔部１０を介して垂直方向に入射する多重波長の入射光１１が、図中の矢印で示すように、光導波路２１ｃに内設されたミラー９によって水平方向に２つの光路に光路変換された所望の多重波長光（入射光）が、グレーティング１５及びグレーティング２５の存在する方向に光導波路２１ｃ内を伝搬する。そして、光導波路２１ｅ内を伝搬する多重波長光の大部分はそのまま光導波路２１ｅ内を伝搬して光出射端に達するが、その多重波長光の一部は、それぞれが異なる波長光を選択的に反射するグレーティング１５及びグレーティング２５を介して、異なる波長光として対応するそれぞれの受光部２に垂直方向に同時入射して検出される。
【０１１３】
このような光導波装置２３ｅの作製工程については、図１３（ａ）〜図１４（ｇ）に示すように、上述の図１０（ａ）〜図１１（ｇ）と同様の工程を経て、グレーティング１５及びグレーティング２５を有する酸化膜３及び複数の受光部２を有するＳＯＩ構造を形成する。次に、図１４（ｈ）〜図１４（ｉ）に示すように、上述の図３（ｋ）と同様に、各トランジスタ１２及び１３、孔部８並びにミラー９を形成する。次に、基板１に孔部１０を形成して、光導波装置２３ｅの作製工程を終了する。
【０１１４】
本実施の形態においては、上述した第１及び第３の実施の形態と同様の作用及び効果を得ることができる。
【０１１５】
第６の実施の形態
図１５は、本発明の第６の実施の形態を示すものである。
【０１１６】
本実施の形態による光導波装置２３ｆにおいては、図１５（Ａ）に示すように、集積回路素子と接続された導電プラグ１６及び１７からなる配線層を設けた絶縁層１９が基板１上に設けられ、アレイ状に配置された垂直共振器型面発光レーザ（ＶＣＳＥＬ）１８を有する基板２２が絶縁層１９上に対向配置され、光入射部に孔部１０及びグレーティング３５がそれぞれ各レーザ１８に対応して光導波路２１ｆに形成されていること以外は、上述の第３の実施の形態と基本的に同様である。
【０１１７】
本実施の形態においては、光導波路２１ｆに直交して形成された複数の孔部１０を介して各レーザ光源１８から垂直方向に入射する多重波長の入射光（入射信号光）１１が、図中の矢印で示すように、光導波路２１ｆに内設された各グレーティング３５によって、水平方向に２つに分離され、所望の多重波長光が、４５°反射面を有する断面二等辺三角形の各光反射部５の存在する方向に伝搬する。そして、多重波長光の一部は、それぞれの光反射面５を介してそれぞれの受光部２に垂直方向に同時入射して検出される。この場合、各受光部２へは、複数又は複数種の波長光が入射し、また、複数または複数種の信号光が光導波路２１ｆから出射されることがある。
【０１１８】
ここで、ＶＣＳＥＬ１８（又は光ファイバー等）からの入射光１１は、ある程度の広がりを持って孔部１０に進入するため、これを高効率で基板１内に導入するためには、プラグ１６及び１７を設けた絶縁層１９上の導入部には干渉物を設けず、孔部１０を拡大することが望ましい。
【０１１９】
しかし、図１５（Ｂ）に示すように、絶縁層１９の上部において、透明基板４０にマイクロレンズ２０（光収束手段）をアレイ状に固定するか、或いは、絶縁層１９に直接設ける（図示せず）ことにより、光源からの入射光１１の光束を小径化（収束）して導入することができる。これにより、孔部１０を縮小しても十分に光入射を行えるため、絶縁層１９に設ける配線１６、１７や回路素子の高集積化が可能となる。
【０１２０】
その他、本実施の形態においては、上述した第１及び第３の実施の形態と同様の作用及び効果を得ることができる。
【０１２１】
以上、本発明を実施の形態に基づいて説明したが、本発明はこれらの例に何ら限定されるものではなく、発明の主旨を逸脱しない範囲で適宜変更可能であることは言うまでもない。
【０１２２】
例えば、受光部２の受光面側に反射防止（ＡＲ）コーティング（反射防止膜）を施して低損失化してもよいし、光入射部以外に無反射コーティング又は金属遮光膜を形成してもよい。
【０１２３】
また、光源を光導波路内に設けてよいし、ミラー９等の反射面にメタルコーティングして反射効率を高めてよい。また、ミラー９等は、エッチング以外にも機械加工等で形成してよい。
【０１２４】
また、グレーティング３５の替わりに、デフューザレンズ又はフォトニック結晶等を用いてもよい。
【０１２５】
また、上述の受光部２の配置や種類、光反射部５、グレーティング１５、２５及び３５、ミラー９並びに孔部１０等の材質、形状、形成位置、個数、形成方法等は、種々に変更することができる。
【０１２６】
なお、上述の受光部２の代りに同じ位置に発光素子を設け、この発光光を光反射部で光路変換して光導波路内を導いてもよい。また、上述した如きＳＯＩ構造を用いないで、同様の光導波装置を作製することもできる。
【産業上の利用可能性】
【０１２７】
本発明の光導波装置は、電子機器間、電子機器内のボード間、とりわけボード内の半導体チップ間等の種々の箇所に適用可能な、例えば光配線システムとして好適であり、高速、高密度、低コストの光伝送・光通信システムを構築するのに寄与することができる。これ以外にも、光源等の選択によりディスプレイ用などにも適用可能である。
【図面の簡単な説明】
【０１２８】
【図１】本発明の第１の実施の形態による光導波装置の断面図（Ａ）、及び別の光導波路の部分断面図（Ｂ）である。
【図２】同、光導波装置の作製工程を順次示す断面図である。
【図３】同、光導波装置の作製工程を順次示す断面図である。
【図４】本発明の第２の実施の形態による光導波装置の断面図である。
【図５】同、光導波装置の作製工程を順次示す断面図である。
【図６】本発明の第３の実施の形態による光導波装置の断面図である。
【図７】同、光導波装置の作製工程を順次示す断面図である。
【図８】同、光導波装置の作製工程を順次示す断面図である。
【図９】本発明の第４の実施の形態による光導波装置の断面図である。
【図１０】同、光導波装置の作製工程を順次示す断面図である。
【図１１】同、光導波装置の作製工程を順次示す断面図である。
【図１２】本発明の第５の実施の形態による光導波装置の断面図である。
【図１３】同、光導波装置の作製工程を順次示す断面図である。
【図１４】同、光導波装置の作製工程を順次示す断面図である。
【図１５】本発明の第６の実施の形態による光導波装置の断面図（Ａ）及び（Ｂ）である。
【図１６】従来例による光導波装置の断面図である。
【図１７】同、別の光導波装置の断面図である。
【図１８】同、更に別の光導波装置の断面図である。
【符号の説明】
【０１２９】
１、７…半導体基板又は半導体層、２…受光部、３、３Ａ…酸化膜、３ａ…酸化膜材、
４…レジスト、５…光反射面、５ａ、１５ａ…凹部、５ｂ…反射面材、
６…不純物ドープ層、８、１０…孔部、９…ミラー、１１…入射光、
１２…バイポーラトランジスタ、１３…ＭＯＳトランジスタ、
１５、２５、３５…グレーティング、１５ｂ…グレーティング材、１６、１７…プラグ、
１８…ＶＣＳＥＬ（光源）、１９…絶縁層、２０…マイクロレンズ（アレイ）、
２１ａ、２１ｂ、２１ｃ、２１ｄ、２１ｅ、２１ｆ…光導波路、
２３ａ、２３ｂ、２３ｃ、２３ｄ、２３ｅ、２３ｆ…光導波装置、２５ａ…凹部
【図１】
2006047894.tif 000003
【図２】
2006047894.tif 000004
【図３】
2006047894.tif 000005
【図４】
2006047894.tif 000006
【図５】
2006047894.tif 000007
【図６】
2006047894.tif 000008
【図７】
2006047894.tif 000009
【図８】
2006047894.tif 000010
【図９】
2006047894.tif 000011
【図１０】
2006047894.tif 000012
【図１１】
2006047894.tif 000013
【図１２】
2006047894.tif 000014
【図１３】
2006047894.tif 000015
【図１４】
2006047894.tif 000016
【図１５】
2006047894.tif 000017
【図１６】
2006047894.tif 000018
【図１７】
2006047894.tif 000019
【図１８】
2006047894.tif 000020